(57)【要約】  写真プリントシステムにおいて、画像と付加情報との合成に必要な手間および時間を減らす。読み込み元から画像データが読み込まれる。当該画像データにより表現される画像に含まれる被写体の種類が特定される。複数の被写体の種類および当該複数の被写体の種類の各々に関連付けられたコメントを含むコメントリストから、特定された被写体の種類に関連付けられたコメントであるコメントの候補が取得される。コメントの候補が表示される。コメントの候補から、合成されるコメントをユーザーに選択させる。画像データにより表現される画像と合成されるコメントとが合成された合成画像を表現する画像データが生成される。当該合成画像がプリントされる。コメントがスタンプなどの付加情報に置き換えられてもよい。
2017126136.tif 000002
【特許請求の範囲】
【請求項１】
読み込み元から画像データを読み込む読み込み部（１０１０，１０１２，１０１４，１０２４）と、
複数の被写体の種類および前記複数の被写体の種類の各々に関連付けられた付加情報を含む情報（１０６０，１０８０）を記憶する記憶部（１０２０）と、
前記画像データにより表現される画像（１１３０，１１９０）に含まれる被写体の種類を特定し特定された被写体の種類を取得する特定部（１０２２）と、
前記特定された被写体の種類に関連付けられた付加情報である第１の付加情報の候補（１１４０，１２００）を前記情報（１０６０，１０８０）から取得する取得部（１０２２）と、
前記第１の付加情報の候補（１１４０，１２００）を表示する表示部（１０１６）と、
前記第１の付加情報の候補（１１４０，１２００）から、合成される付加情報（１１５０，１２１０）をユーザーに選択させる選択部（１０２２）と、
前記画像（１１３０，１１９０）と前記合成される付加情報（１１５０，１２１０）とが合成された合成画像（１１７０，１２３０）を表現する画像データを生成する合成部（１０２２）と、
前記合成画像（１１７０，１２３０）をプリントするプリント部（１０１８）と、
を備える写真プリントシステム（１０００）。
【請求項２】
前記表示部（１０１６）は、前記第１の付加情報の候補（１１４０，１２００）以外の第２の付加情報の候補（１１４１，１２０１）をさらに表示し、前記第１の付加情報の候補（１１４０，１２００）を前記第２の付加情報の候補（１１４１，１２０１）より優先的に表示し、
前記選択部（１０２２）は、前記第１の付加情報の候補（１１４０，１２００）および前記第２の付加情報の候補（１１４１，１２０１）から、前記合成される付加情報（１１５０，１２１０）をユーザーに選択させる
請求項１の写真プリントシステム（１０００）。
【請求項３】
前記合成される付加情報（１１５０）がコメントである
請求項１または２の写真プリントシステム（１０００）。
【請求項４】
前記合成される付加情報（１２１０）がスタンプである
請求項１または２の写真プリントシステム（１０００）。
【発明の詳細な説明】
【技術分野】
【０００１】
本発明は、読み込み元から読み込まれた画像データにより表現される画像と付加情報とが合成された合成画像をプリントする写真プリントシステムに関する。
【背景技術】
【０００２】
写真プリントシステムにおいては、デジタルカメラ、携帯電話端末などで撮影された画像を表現する画像データが記憶メディアから読み込まれる。スマートフォンまたはタブレットから画像データが読み込まれる場合もある。スマートフォンまたはタブレットから画像データが読み込まれる場合は、スマートフォンまたはタブレットにアプリケーションがインストールされ、インストールされたアプリケーションによりスマートフォンまたはタブレットが写真プリントシステムに無線接続され、無線通信によりスマートフォンまたはタブレットから写真プリントシステムに画像データが転送される。スマートフォンまたはタブレットが写真プリントシステムにケーブルにより有線接続され、有線通信によりスマートフォンまたはタブレットから写真プリントシステムに画像データが転送される場合もある。【０００３】
写真プリントシステムにおいて、画像が編集される場合もある。写真プリントシステムにおいて行うことができる画像の編集には、画像とコメントとの合成、画像とスタンプとの合成などがある。【０００４】
特許文献１は、写真プリントシステムに関するものではなく、インターネット上のサイトなどに画像データを投稿することを支援する装置に関するものであるが、デジタルカメラなどを通して得られる画像データに対してコメント情報を付加する技術を開示する。
【先行技術文献】
【特許文献】
【０００５】
【特許文献１】特許第５５５４３０９号明細書
【発明の概要】
【発明が解決しようとする課題】
【０００６】
従来の写真プリントシステムにおいては、画像とコメントとを合成する場合にキーボードを用いてコメントを入力する作業が必要であり、画像とスタンプとを合成する場合に写真プリントシステムに記憶されている多数のスタンプの中から希望のスタンプを見つけて選択する作業が必要であり、画像と付加情報との合成に多くの手間および時間が必要である。【０００７】
本発明は、上記の問題を解決するためになされる。本発明が解決しようとする課題は、写真プリントシステムにおいて、読み込まれた画像データにより表現される画像と付加情報との合成に必要な手間および時間を減らすことである。
【課題を解決するための手段】
【０００８】
写真プリントシステムにおいて、読み込み元から画像データが読み込まれる。当該画像データにより表現される画像に含まれる被写体の種類が特定される。複数の被写体の種類および当該複数の被写体の種類の各々に関連付けられた付加情報を含む情報から、特定された被写体の種類に関連付けられた付加情報である付加情報の候補が取得される。付加情報の候補が表示される。付加情報の候補から、合成される付加情報をユーザーに選択させる。画像データにより表現される画像と合成される付加情報とが合成された合成画像を表現する画像データが生成される。当該合成画像がプリントされる。
【発明の効果】
【０００９】
本発明によれば、読み込まれた画像データにより表現される画像と合成される付加情報を表示された付加情報の候補から選択できるので、読み込まれた画像データにより表現される画像と付加情報との合成に必要な手間および時間が減る。【００１０】
この発明の目的、特徴、局面、および利点は、以下の詳細な説明と添付図面とによって、より明白となる。
【図面の簡単な説明】
【００１１】
【図１】写真プリントシステムおよびサーバーを模式的に示す図である。
【図２】コメントリストの例を示す図である。
【図３】スタンプリストの例を示す図である。
【図４】画像をプリントする手順を示すフローチャートである。
【図５】画像とコメントとを合成する手順を示すフローチャートである。
【図６】キーボード画面を示す図である。
【図７】コメント選択画面を示す図である。
【図８】コメント選択画面を示す図である。
【図９】画像とスタンプとを合成する手順を示すフローチャートである。
【図１０】スタンプ選択画面を示す図である。
【図１１】スタンプ選択画面を示す図である。
【発明を実施するための形態】
【００１２】
１  写真プリントシステム
図１は、この実施の形態の写真プリントシステムおよびサーバーを模式的に示す図である。
【００１３】
図１に示されるように、写真プリントシステム１０００は、カードリーダー１０１０、ＣＤ／ＤＶＤドライブ１０１２、ケーブル１０１４、タッチパネルディスプレイ１０１６、プリンタ１０１８、記憶部１０２０、制御部１０２２、通信部１０２４、筐体１０２６、取り出し口１０２８、ビルバリ１０３０および課金機１０３２を備える。写真プリントシステム１０００がこれらの構成物以外の構成物を備えてもよい。写真プリントシステム１０００からこれらの構成物の一部が省略される場合もある。
【００１４】
写真プリントシステム１０００は、店頭受付機などとも呼ばれ、プリントラボ、コンビニエンスストアなどの店頭に設置される。写真プリントシステム１０００がプリントラボ、コンビニエンスストアなどの店頭以外に設置されてもよい。
【００１５】
写真プリントシステム１０００は、読み込み元から画像データを読み込み、読み込まれた画像データにより表現される画像をプリントする。写真プリントシステム１０００は、当該画像とコメントまたはスタンプとが合成された合成画像をプリントすることもできる。コメントは、主に文字列からなる付加情報であり、「メッセージ」と呼ばれることもある。スタンプは、主に絵柄からなる付加情報であり、「アイコン」と呼ばれることもある。コメントおよびスタンプ以外の付加情報が画像と合成されてもよい。画像とコメントとの合成および画像とスタンプとの合成の片方のみが可能であってもよい。
【００１６】
読み込み元がデジタルカメラなどにより撮影された画像を表現する画像データが記憶されたメモリーカードまたはユニバーサルシリアルバス（ＵＳＢ）メモリーである場合は、画像データの読み込みにおいて、メモリーカードまたはＵＳＢメモリーがカードリーダー１０１０に挿入され、挿入されたメモリーカードまたはＵＳＢメモリーに記憶された画像データがカードリーダー１０１０により読み取られる。
【００１７】
読み込み元が画像データが記憶されたコンパクトディスク（ＣＤ）またはデジタル多目的ディスク（ＤＶＤ）である場合は、画像データの読み込みにおいて、ＣＤまたはＤＶＤがＣＤ／ＤＶＤドライブ１０１２に挿入され、挿入されたＣＤまたはＤＶＤに記憶された画像データがＣＤ／ＤＶＤドライブ１０１２により読み取られる。
【００１８】
読み込み元がスマートフォンである場合は、画像データの読み込みにおいて、ケーブル１０１４がスマートフォンに接続され、スマートフォンが通信部１０２４にケーブル１０１４を介して有線接続され、スマートフォンに記憶された画像データが有線接続された通信部１０２４により読み取られる。通信部１０２４が無線通信を行うことができるように構成され、スマートフォンが通信部１０２４に無線接続され、スマートフォンに記憶された画像データが無線接続された通信部１０２４より読み取られてもよい。
【００１９】
メモリーカード、ＵＳＢメモリー、ＣＤ、ＤＶＤおよびスマートフォンの一部が読み込み元から除外されてもよい。メモリーカード、ＵＳＢメモリー、ＣＤおよびＤＶＤ以外の記憶メディアが読み込み元であってもよい。例えば、外付けハードディスクドライブが読み込み元であってもよい。スマートフォン以外の情報機器が読み込み元であってもよい。例えば、タブレットまたはオーディオプレーヤーが読み込み元であってもよい。
【００２０】
タッチパネルディスプレイ１０１６は、液晶パネルとタッチパネルとが一体化された複合部品である。液晶パネルが他の種類の表示機構に置き換えられてもよい。例えば、液晶パネルが陰極線管（ＣＲＴ）に置き換えられてもよい。タッチパネルが他の種類の操作検出機構に置き換えられてもよい。例えば、タッチパネルが液晶パネルと一体化されていないキーボードおよびマウスに置き換えられてもよい。タッチパネルは、望ましくはマルチタッチに対応する。
【００２１】
プリンタ１０１８は、昇華型の熱転写プリンタであり、高解像度のカラー画像をプリント可能なカラープリンタであり、入力された画像データにより表現される画像をプリントする。プリンタ１０１８が昇華型の熱転写プリンタ以外であってもよい。例えば、プリンタ１０１８がインクジェットプリンタであってもよい。プリンタ１０１８がモノクロプリンタであってもよい。プリンタ１０１８は、Ｌ版サイズの写真用紙にプリントを行う。プリンタ１０１８がＬ版サイズ以外の写真用紙にプリントを行ってもよい。例えば、プリンタ１０１８がはがきサイズまたは２Ｌ版サイズ以上のサイズの写真用紙にプリントを行ってもよい。プリンタ１０１８が写真用紙以外の記録媒体にプリントを行ってもよい。例えば、プリンタ１０１８がシール紙にプリントを行ってもよい。プリンタ１０１８は、筐体１０２６に収容される。プリンタ１０１８により画像がプリントされた写真用紙は、筐体１０２６に形成された取り出し口１０２８に排出され、取り出し口１０２８から取り出すことができる。
【００２２】
ビルバリ１０３０および課金機１０３２は、料金を決済する。写真プリントシステム１０００が無料でサービスを提供する場合は、ビルバリ１０３０および課金機１０３２が省略されてもよい。ビルバリ１０３０および課金機１０３２が他の種類の決済機構に変更されてもよい。例えば、ビルバリ１０３０および課金機１０３２がクレジットカードまたは電子マネーの決済端末に置き換えられてもよい。
【００２３】
通信部１０２４は、サーバー１０４０およびスマートフォンと有線通信を行う。通信部１０２４が無線通信を行ってもよい。
【００２４】
制御部１０２２は、中央演算処理装置（ＣＰＵ）、メモリーなどを備えるパーソナルコンピューターにより構成され、記憶部１０２０に記憶されたプログラムをメモリーにロードして実行し、写真プリントシステム１０００の全体を制御する。制御部１０２２が担う処理の全部または一部がコンピュータでないハードウェアにより担われてもよい。
【００２５】
制御部１０２２は、サービス選択プログラムを実行し、サービス選択プログラムにしたがって処理を行い、サービス選択プログラムにしたがってタッチパネルディスプレイ１０１６を制御する。これにより、タッチパネルディスプレイ１０１６は、ユーザーにプリントに関するサービスを選択させるサービス選択部として機能する。
【００２６】
制御部１０２２は、読み込みプログラムを実行し、読み込みプログラムにしたがって処理を行い、読み込みプログラムにしたがってカードリーダー１０１０、ＣＤ／ＤＶＤドライブ１０１２および通信部１０２４を制御する。これにより、カードリーダー１０１０、ＣＤ／ＤＶＤドライブ１０１２、ケーブル１０１４および通信部１０２４は、読み込み元から画像データを読み込み、読み込んだ画像データを記憶部１０２０に一時記憶させる読み込み部として機能する。
【００２７】
制御部１０２２は、画像選択プログラムを実行し、画像選択プログラムにしたがって処理を行い、画像選択プログラムにしたがってタッチパネルディスプレイ１０１６を制御する。これにより、タッチパネルディスプレイ１０１６は、読み込まれた画像データにより表現される画像を表示し、ユーザーにプリントする画像を選択させる画像選択部として機能する。
【００２８】
制御部１０２２は、画像編集プログラムを実行し、画像編集プログラムにしたがって処理を行い、画像編集プログラムにしたがってタッチパネルディスプレイ１０１６を制御する。これにより、タッチパネルディスプレイ１０１６は、画像の編集に関する機能をユーザーに選択させる機能選択部として機能し、コメントの候補を含むコメント画面またはスタンプの候補を含むスタンプ画面を表示する表示部として機能し、ユーザーにコメントの候補からコメントを選択させスタンプの候補からスタンプを選択させる選択部として機能する。ユーザーが選択可能な機能は、画像とコメントとを合成するコメント機能および画像とスタンプとを合成するスタンプ機能を含む。また、制御部１０２２は、画像データにより表現される画像に含まれる被写体の種類を特定する特定部として機能し、コメントリストからコメントの候補を取得しスタンプリストからスタンプの候補を取得する取得部として機能し、画像とコメントまたはスタンプとが合成された合成画像を表現する合成画像データを生成する合成部として機能する。
【００２９】
制御部１０２２は、合成画像表示プログラムを実行し、合成画像表示プログラムにしたがって処理を行い、合成画像表示プログラムにしたがってタッチパネルディスプレイ１０１６を制御する。これにより、タッチパネルディスプレイ１０１６は、合成画像を表示する合成画像表示部として機能する。
【００３０】
制御部１０２２は、料金決済プログラムを実行し、料金決済プログラムにしたがって処理を行い、料金決済プログラムにしたがってタッチパネルディスプレイ１０１６、ビルバリ１０３０および課金機１０３２を制御する。これにより、タッチパネルディスプレイ１０１６、ビルバリ１０３０および課金機１０３２は、料金を決済する決済部として機能する。料金の決済においては、ビルバリ１０３０に投入された紙幣が受け付けられるとともにカウントされ、課金機１０３２に投入された硬貨が受け付けられるとともにカウントされ、ユーザーのプリント注文情報にしたがってプリント金額が計算され、投入された金額とプリント金額との差額に一致する釣銭が返却される。
【００３１】
制御部１０２２は、プリントプログラムを実行し、プリントプログラムにしたがって処理を行い、プリントプログラムにしたがって合成画像データをプリンタ１０１８に送信する。これにより、プリンタ１０１８は、合成画像をプリントするプリント部として機能する。
【００３２】
制御部１０２２は、通信制御プログラムを実行し、通信制御プログラムにしたがって処理を行い、通信制御プログラムにしたがって通信部１０２４を制御する。これにより、通信部１０２４は、サーバー１０４０と通信可能になる。
【００３３】
記憶部１０２０は、ハードディスクドライブなどの大容量記憶装置により構成され、上述のプログラムなどの写真プリントシステム１０００の構成物を制御するプログラム、コメントリストおよびスタンプリストを記憶し、読み込まれた画像データを一時記憶する。
【００３４】
図２は、コメントリストの例を示す図である。
【００３５】
図２に示されるように、コメントリスト１０６０の「No」という名前が付された列１０７０には、「コメント１」、「コメント２」などの識別子が含まれ、コメントリスト１０６０の「コメントリスト」という名前が付された列１０７２には、「ありがとう」、「Thank You!」などのコメントが含まれ、コメントリスト１０６０の「被写体種類１」、「被写体種類２」などの名前が付された列１０７４には、「笑顔」、「笑い」などの被写体の種類が含まれる。
【００３６】
コメントリスト１０６０においては、コメントが当該コメントが属する行に属する被写体の種類に関連付けられる。例えば、第２行目に属する「ありがとう」というコメントは、同じ第２行目に属する「笑顔」および「笑い」という被写体の種類に関連付けられる。したがって、コメントリスト１０６０は、互いに異なる複数の被写体の種類および当該複数の種類の各々に関連付けられたコメントを含む情報である。
【００３７】
コメントリスト１０６０に含まれる識別子、コメントおよび被写体の種類の具体的内容は、図２に示されるものでなくてもよい。コメントリスト１０６０のデータ構造は、図２に示されるものでなくてもよい。
【００３８】
図３は、スタンプリストの例を示す図である。
【００３９】
図３に示されるように、スタンプリスト１０８０の「No」という名前が付された列１０９０には、「スタンプ１」、「スタンプ２」などの識別子が含まれ、スタンプリスト１０８０の「スタンプリスト」という名前が付された列１０９２には、星を模した絵柄、心臓を模した絵柄などのスタンプが含まれ、スタンプリスト１０８０の「被写体種類１」、「被写体種類２」などの名前が付された列１０９４には、「星」、「きらきら」、「夜」などの被写体の種類が含まれる。
【００４０】
スタンプリスト１０８０においては、スタンプが当該スタンプが属する行に属する被写体の種類に関連付けられる。例えば、第２行目に属する星を模した絵柄のスタンプは、同じ第２行目に属する「星」、「きらきら」および「夜」という被写体の種類に関連付けられる。したがって、スタンプリスト１０８０は、互いに異なる複数の被写体の種類および当該複数の被写体の種類の各々に関連付けられたスタンプを含む情報である。
【００４１】
スタンプリスト１０８０に含まれる識別子、スタンプおよび被写体の種類の具体的内容は、図３に示されるものでなくてもよい。スタンプリスト１０８０のデータ構造は、図３に示されるものでなくてもよい。
【００４２】
２  画像のプリント
図４のフローチャートは、画像をプリントする手順を示す。
【００４３】
図４に示されるステップＳ１０１においては、タッチパネルディスプレイ１０１６より構成されるサービス選択部が、ユーザーにプリントに関するサービスを選択させる。サービスの選択においては、サービスメニューを含むメニュー画面がタッチパネルディスプレイ１０１６に表示される。サービスメニューは、普通の写真プリント、１枚の写真用紙に複数の画像が配置されるマルチプリント、１枚の写真用紙に複数の画像が配置されるインデックスプリント、証明写真プリントなどのサービスの選択肢を含む。サービスの選択においては、タッチパネルディスプレイ１０１６に対して行われる、サービスを選択するタッチ操作が検出される。写真プリントシステム１０００が提供するサービスが１種類である場合は、ステップＳ１０１が省略されてもよい。
【００４４】
図４に示されるステップＳ１０１に続くステップＳ１０２においては、カードリーダー１０１０、ＣＤ／ＤＶＤドライブ１０１２、ケーブル１０１４および通信部１０２４により構成される読み込み部が、読み込み元から画像データを読み込み、読み込まれた画像データを記憶部１０２０に一時記憶させる。
【００４５】
図４に示されるステップＳ１０２に続くステップＳ１０３においては、タッチパネルディスプレイ１０１６により構成される画像選択部が、読み込まれた画像データにより表現される画像を表示し、ユーザーにプリントを希望する画像を選択させる。画像の選択においては、タッチパネルディスプレイ１０１６に対して行われる、画像を選択するタッチ操作が検出される。当該タッチ操作は、タッチパネルディスプレイ１０１６に表示された画像を見ながら行うことができる。読み込まれた画像データが１個である場合は、ステップＳ１０３が省略されてもよい。
【００４６】
図４に示されるステップＳ１０３に続くステップＳ１０４においては、後述する画像の編集が行われる。後述する画像の編集に加えて、画像の色合い、明るさ、鮮やかさ、シャープネス、コントラストなどの調整が行われてもよく、画像の解像度をタッチパネルディスプレイ１０１６またはプリンタ１０１８の解像度に適合させる処理が行われてもよい。ユーザーの意思により後述する画像の編集が省略される場合もある。
【００４７】
図４に示されるステップＳ１０４に続くステップＳ１０５においては、タッチパネルディスプレイ１０１６、ビルバリ１０３０および課金機１０３２により構成される決済部が、料金を決済する。料金の決済においては、タッチパネルディスプレイ１０１６に対して行われた、プリントを希望する画像を選択するタッチ操作が検出され、プリント枚数を指定するタッチ操作が検出される。さらに、料金の決済においては、検出されたタッチ操作からプリント料金が計算され、計算されたプリント料金がタッチパネルディスプレイ１０１６に表示され、ビルバリ１０３０および課金機１０３２が料金を決済する。
【００４８】
図４に示されるステップＳ１０５に続くステップＳ１０６においては、プリンタ１０１８により構成されるプリント部が、編集された画像をプリントする。画像のプリントにおいては、プリントされる画像を表現する画像データがプリンタ１０１８に送信される。
【００４９】
プリントが完了した後は、写真プリントシステム１０００は、サービスメニューを含むメニュー画面をタッチパネルディスプレイ１０１６に表示させ、次のユーザーへのサービスの提供に備える。
【００５０】
３  画像とコメントとの合成
続いて、ステップＳ１０４の画像の編集において行うことができる、画像とコメントとの合成について説明する。
【００５１】
図５のフローチャートは、画像とコメントとを合成する手順を示す。図６は、キーボード画面を示す。図７および８の各々は、コメント選択画面を示す。
【００５２】
写真プリントシステム１０００は、図６に示されるキーボード画面１１００に含まれるソフトウェアキーボード１１１０に対して行われる、コメントを入力するタッチ操作を検出し、検出されたタッチ操作からコメントを取得する。しかし、このようなコメントの入力には手間がかかる。そこで、写真プリントシステム１０００は、コメントの候補を提案し、提案したコメントの候補からコメントをユーザーに選択させる。
【００５３】
図５に示されるステップＳ１１１においては、タッチパネルディスプレイ１０１６により構成される機能選択部が、ユーザーにコメント機能を選択させる。
【００５４】
図５に示されるステップＳ１１１に続くステップＳ１１２においては、制御部１０２２により構成される特定部が、図７に示されるコメント選択画面１１２０に含まれる画像１１３０を表現する画像データを解析し、画像１１３０に含まれる被写体の種類を特定する。画像１１３０は、読み込まれた画像データにより表現される画像のうちのユーザーに選択された画像である。被写体の種類は、画像１１３０を表現する画像データに付加されたメタデータまたは画像解析により特定される。被写体の種類の特定に利用されるメタデータは、撮影日、ファイル名、画像サイズ、撮影に使用したカメラの情報などである。
【００５５】
図５に示されるステップＳ１１２に続くステップＳ１１３においては、制御部１０２２により構成される取得部が、特定された被写体の種類に関連付けられたコメントをコメントリスト１０６０から取得する。このように取得されたコメントが、コメントの候補になる。
【００５６】
図５に示されるステップＳ１１３に続くステップＳ１１４においては、タッチパネルディスプレイ１０１６により構成される表示部が、図７に示されるように、ステップＳ１１３において取得されたコメントの候補１１４０を表示する。図７に示されるコメント選択画面１１２０においては、「うんどうかい」、「がんばれ！」および「つなひき」というコメントがコメントの候補１１４０になっている。
【００５７】
ステップＳ１１４においては、特定された被写体の種類に関連付けられたコメントであるコメントの候補１１４０に加えて特定された被写体の種類に関連付けられていないコメントであるコメントの候補１１４１がタッチパネルディスプレイ１０１６に表示される。コメントの候補１１４０は、配列の先頭に優先的に表示され、コメントの候補１１４１は、コメントの候補１１４０に続いて表示される。コメントの候補１１４０をコメントの候補１１４１より優先的に表示する態様が変更されてもよい。例えば、コメントの候補１１４０が大きく表示され、コメントの候補１１４１が小さく表示されてもよい。コメントの候補１１４１の表示が省略されてもよい。
【００５８】
図５に示されるステップＳ１１４に続くステップＳ１１５においては、タッチパネルディスプレイ１０１６により構成される選択部が、図８に示されるように、コメントの候補１１４０および１１４１から、合成されるコメント１１５０をユーザーに選択させる。図８に示されるコメント選択画面１１６０においては、「つなひき」というコメントが合成されるコメント１１５０になっている。
【００５９】
図５に示されるステップＳ１１５に続くステップＳ１１６においては、制御部１０２２により構成される合成部が、画像１１３０と選択されたコメント１１５０とが合成された合成画像１１７０を表現する合成画像データを生成し、タッチパネルディスプレイ１０１６により構成される合成画像表示部が合成画像１１７０を表示する。
【００６０】
これにより、ユーザー自身がコメントを入力する必要がなくなり、コメントリスト１０６０に含まれる多数のコメントからコメントを選択するのに要する時間および手間が減り、画像１１３０に合成されるコメントを簡単に選択できる。また、ユーザーが想定できなかったコメントを画像１１３０に合成でき、より適切なコメントを画像１１３０に合成できる可能性が高まる。コメントを選択するのに要する時間および手間が減ることは、写真プリントシステム１０００の稼働率の向上に寄与する。
【００６１】
４  画像とスタンプとの合成
続いて、ステップＳ１０４における画像の編集において行うことができる、画像とスタンプとの合成について説明する。
【００６２】
図９のフローチャートは、画像とスタンプとを合成する手順を示す。図１０および１１の各々は、スタンプ選択画面を示す。
【００６３】
図９に示されるステップＳ１２１においては、タッチパネルディスプレイ１０１６により構成される機能選択部が、スタンプ機能をユーザーに選択させる。
【００６４】
図９に示されるステップＳ１２１に続くステップＳ１２２においては、制御部１０２２により構成される特定部が、図１０に示されるスタンプ選択画面１１８０に含まれる画像１１９０を表現する画像データを解析し、画像１１９０に含まれる被写体の種類を特定する。画像１１９０は、読み込まれた画像データにより表現される画像のうちのユーザーに選択された画像である。被写体の種類は、画像１１９０を表現する画像データに付加されたメタデータまたは画像解析により特定される。被写体の種類の特定に利用されるメタデータは、撮影日、ファイル名、画像サイズ、撮影に使用したカメラの情報などである。
【００６５】
図９に示されるステップＳ１２２に続くステップＳ１２３においては、制御部１０２２により構成される取得部が、特定された被写体の種類に関連付けられたスタンプをスタンプリスト１０８０から取得する。このように取得されたスタンプがスタンプの候補になる。
【００６６】
図９に示されるステップＳ１２３に続くステップＳ１２４においては、タッチパネルディスプレイ１０１６により構成される表示部が、図１０に示されるように、ステップＳ１２３において取得されたスタンプの候補１２００を表示する。図１０に示されるスタンプ選択画面１１８０においては、風船を模した絵柄、クラッカーを模した絵柄などのスタンプがスタンプの候補１２００になっている。
【００６７】
ステップＳ１２４においては、特定された被写体の種類に関連付けられたスタンプであるスタンプの候補１２００に加えて特定された被写体の種類に関連付けられていないスタンプであるスタンプの候補１２０１がタッチパネルディスプレイ１０１６に表示される。スタンプの候補１２００は、配列の先頭に優先的に表示され、スタンプの候補１２０１は、スタンプの候補１２００に続いて表示される。スタンプの候補１２００をスタンプの候補１２０１より優先的に表示する態様が変更されてもよい。例えば、スタンプの候補１２００が大きく表示され、スタンプの候補１２０１が小さく表示されてもよい。スタンプの候補１２０１の表示が省略されてもよい。
【００６８】
図９に示されるステップＳ１２４に続くステップＳ１２５においては、タッチパネルディスプレイ１０１６により構成される選択部が、図１１に示されるように、スタンプの候補１２００および１２０１から、合成されるスタンプ１２１０をユーザーに選択させる。図１１に示されるスタンプ選択画面１２２０においては、クラッカーを模した絵柄のスタンプが合成されるスタンプ１２１０になっている。
【００６９】
図９に示されるステップＳ１２５に続くステップＳ１２６においては、制御部１０２２により構成される合成部が、画像１１９０と選択されたスタンプ１２１０とが合成された合成画像１２３０を表現する合成画像データを生成し、タッチパネルディスプレイ１０１６により構成される合成画像表示部が合成画像１２３０をタッチパネルディスプレイ１０１６に表示する。
【００７０】
これにより、スタンプリスト１０８０に含まれる多数のスタンプから合成されるスタンプを選択するのに要する時間および手間が減り、画像１１９０に合成されるスタンプを簡単に選択できる。また、ユーザーが想定できなかったスタンプを画像１１９０に合成でき、より適切なスタンプを画像に合成できる可能性が高まる。スタンプを選択するのに要する時間および手間が減ることは、写真プリントシステム１０００の稼働率の向上に寄与する。
【００７１】
なお、本発明は、その発明の範囲内において、実施の形態を適宜、変形、省略することが可能である。
【００７２】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７３】
１０００  写真プリントシステム、１０１０  カードリーダー、１０１２  ＣＤ／ＤＶＤドライブ、１０１４  ケーブル、１０１６  タッチパネルディスプレイ、１０１８  プリンタ、１０２０  記憶部、１０２２  制御部、１０２４  通信部、１０２６  筐体、１０２８  取り出し口、１０３０  ビルバリ、１０３２  課金機、１０４０  サーバー、１０６０  コメントリスト、１０８０  スタンプリスト、１１３０  画像、１１４０，１１４１  コメントの候補、１１５０  合成されるコメント、１１７０  合成画像、１１９０  画像、１２００，１２０１  スタンプの候補、１２１０  合成されるスタンプ、１２３０  合成画像。
【図１】
2017126136.tif 000003
【図２】
2017126136.tif 000004
【図３】
2017126136.tif 000005
【図４】
2017126136.tif 000006
【図５】
2017126136.tif 000007
【図６】
2017126136.tif 000008
【図７】
2017126136.tif 000009
【図８】
2017126136.tif 000010
【図９】
2017126136.tif 000011
【図１０】
2017126136.tif 000012
【図１１】
2017126136.tif 000013
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
読み込み元から画像データを読み込む読み込み部（１０１０，１０１２，１０１４，１０２４）と、
複数の被写体の種類および前記複数の被写体の種類の各々に関連付けられた付加情報を含む情報（１０６０，１０８０）を記憶する記憶部（１０２０）と、
前記画像データにより表現される画像のうちのユーザーに選択された画像（１１３０，１１９０）を表現する画像データに付加されたメタデータまたは前記ユーザーに選択された画像（１１３０，１１９０）の画像解析により前記ユーザーに選択された画像（１１３０，１１９０）に含まれる被写体の種類を特定し特定された被写体の種類を取得する特定部（１０２２）と、
前記特定された被写体の種類に関連付けられた付加情報である第１の付加情報の候補（１１４０，１２００）を前記情報（１０６０，１０８０）から取得する取得部（１０２２）と、
前記第１の付加情報の候補（１１４０，１２００）を表示する表示部（１０１６）と、
前記第１の付加情報の候補（１１４０，１２００）から、合成される付加情報（１１５０，１２１０）をユーザーに選択させる選択部（１０２２）と、
前記ユーザーに選択された画像（１１３０，１１９０）と前記合成される付加情報（１１５０，１２１０）とが合成された合成画像（１１７０，１２３０）を表現する画像データを生成する合成部（１０２２）と、
前記合成画像（１１７０，１２３０）をプリントするプリント部（１０１８）と、
を備え、
前記表示部（１０１６）は、前記第１の付加情報の候補（１１４０，１２００）以外の第２の付加情報の候補（１１４１，１２０１）をさらに表示し、前記第１の付加情報の候補（１１４０，１２００）を前記第２の付加情報の候補（１１４１，１２０１）より優先的に表示し、
前記選択部（１０２２）は、前記第１の付加情報の候補（１１４０，１２００）および前記第２の付加情報の候補（１１４１，１２０１）から、前記合成される付加情報（１１５０，１２１０）をユーザーに選択させる
写真プリントシステム（１０００）。
【請求項２】
前記合成される付加情報（１１５０）がコメントである
請求項１の写真プリントシステム（１０００）。
【請求項３】
前記合成される付加情報（１２１０）がスタンプである
請求項１の写真プリントシステム（１０００）。
【手続補正２】
【補正対象書類名】明細書
【補正対象項目名】０００８
【補正方法】変更
【補正の内容】
【０００８】
写真プリントシステムにおいて、読み込み元から画像データが読み込まれる。当該画像データにより表現される画像のうちのユーザーに選択された画像を表現する画像データに付加されたメタデータまたはユーザーに選択された画像の画像解析により当該ユーザーに選択された画像に含まれる被写体の種類が特定される。複数の被写体の種類および当該複数の被写体の種類の各々に関連付けられた付加情報を含む情報から、特定された被写体の種類に関連付けられた付加情報である第１の付加情報の候補が取得される。第１の付加情報の候補が表示される。第１の付加情報の候補から、合成される付加情報をユーザーに選択させる。ユーザーに選択された画像と合成される付加情報とが合成された合成画像を表現する画像データが生成される。当該合成画像がプリントされる。第１の付加情報の候補以外の第２の付加情報の候補がさらに表示され、第１の付加情報の候補が第２の付加情報の候補より優先的に表示される。第１の付加情報の候補および第２の付加情報の候補から、合成される付加情報をユーザに選択させる。
【国際調査報告】
2017126136.tif 000014
2017126136.tif 000015
2017126136.tif 000016
2017126136.tif 000017